(57)【要約】  本発明は、少なくとも１個の表示画面（４）と少なくとも１個のマイクロエンジン施錠システム（１６）とを有し、電子扉、引出し、ロッカー、ケーシング、キャビネット、安全保管箱、区画等の用途に使用される電子錠装置での施錠動作を確実にする電子錠であって、前記錠が組み込まれる前記設備に対して異なる４方向で前記錠が接続されたときに、前記ユーザによる前記表示画面（４）の読み取りを可能にする、前記錠内に配置された少なくとも１個の方向選択キー（８）及び／又はセンサと、数字記号も英数字記号も有していない閲覧・確認キー群（５）とを有し、前記ユーザによる前記パスワードの安全な入力を可能にする電子錠に関する。【選択図】図１
2013521421.tif 000002
【特許請求の範囲】
【請求項１】
少なくとも１個の表示画面（４）と少なくとも１個のマイクロエンジン（micro engine）施錠システム（１６）とを有し、電子扉、引出し、ロッカー、ケーシング、キャビネット、安全保管箱、区画等の用途で使用される電子錠装置における施錠動作を確実にする電子錠であって、
錠が組み込まれる設備に対して異なる４方向で錠が接続されたときに、ユーザによる表示画面（４）の読み取りを可能にする錠内に配置された少なくとも１個の方向選択キー（８）及び／又はセンサと、数字記号も英数字記号も有していない閲覧・確認キー群（５）とを有し、ユーザによるパスワードの入力を可能にする電子錠。
【請求項２】
前記閲覧・確認キー群（５）が右キー、左キー、上キー及び下キー並びに中心の確認キーを有する、請求項１に記載の電子錠。
【請求項３】
閲覧・確認キー群（５）の機能は、錠が異なる４方向で接続されたときに電子的に変更される、請求項１に記載の電子錠。
【請求項４】
ユーザは、パスワードを入力したいときに閲覧・確認キー群（５）内の上下キーを使用することによって望みの数字を決定し、望みの数字に達したときに確認キーを押すことによって複数の数字／文字を含むパスワードを入力し、入力されたパスワードが事前に読み込まれたパスワードと同じ場合に、マイクロエンジン施錠システム（１６）が開錠する、請求項１に記載の電子錠。
【請求項５】
前記表示画面（４）は、選択キー（５）、方向センサ、又はプログラムメニューから決定された錠の向きに応じて、前記表示画面（４）を正しい向きで読むことができるように電子的にプログラムされる、請求項１に記載の電子錠。
【請求項６】
前記表示画面（４）がＬＥＤ、ＬＣＤ又はＯＬＥＤである、請求項１に記載の電子錠。
【発明の詳細な説明】
【技術分野】
【０００１】
本発明は、電子扉、引出し、ロッカー、ケーシング、キャビネット、安全収納箱、区画（sections）等の用途で使用される電子錠に関する。
【０００２】
特に、本発明は、４方向又は４姿勢で取り付けることができ、企業内のロッカー、扉及び引出しの何れにも取り付けることができる電子錠に関する。
【背景技術】
【０００３】
今日、高セキュリティ施錠システムを提供するために電子ロッカーが使用されることが知られている。特に、電子ロッカーは、私文書が保管される鋼製ケーシング及び区画で一般に使用される。鍵の携帯や紛失は、ユーザにとって大問題である。鍵付きケーシングを使用する場合、ユーザは、他人による鍵の複製、鍵の紛失、又は鍵の置き場所を忘れることを心配する。従って、現行技術と並行して電子ロッカーの開発が急速に行われている。
【０００４】
先行技術として、種々の方法を備えた電子錠が存在する。電子ロッカーには、一般的に、電磁石ボビン（ソレノイドボビン）が使用される。電磁石は、別の電子施錠システムにおいても使用される。電子錠は、一般に、ユーザがパスワードを入力するキーパッド、表示画面、パスワードを評価し制御を確実にする電子カード、及びパスワードの確認後に施錠／解錠操作を行う施錠機構を有する。更に、電子錠は、ＲＦＩＤカードで操作することもできる。キーパッドによるパスワードの入力は、他人がパスワードを見ることができるので、危険な操作である。従って、キーパッドの代わりに、異なる代替手段の開発が必要とされている。
【０００５】
公知の技術水準として、電子施錠システムと関連した様々な実施形態が知られている。そのような実施形態のうちの一つは、特許文献１に記載されている。この出願には、秘密パスワードの入力又はリモート制御によってセキュリティが保証される電子施錠システムが記載されている。施錠システムの本体上のバッテリが電源として使用される。施錠部材が錠部品内にあり、これにより施錠が提供される。また、特許文献２にも、ソレノイドサーボ機構を有する電子施錠システムが開示されている。
【０００６】
技術開発と並行して普及する電子施錠システムにおいて、施錠機構になされる改良の数を増加させることができ、そのような改良の結果として行われる特許出願の数を増加させることができる。これらの改良の例として、弊社出願である特許文献３を示すことができる。現在の電子錠全てが、使用設備（ロッカー、引出し、ケーシング、扉等）に取り付けられるわけではない。一般に、これらは、機器のタイプごとに異なる形状とサイズで製造され、これが、電子錠の使用領域を制限し、そのコストを増大させる。従来の電子錠は、４方向（directions/way）に取り付けることができる機能を備えていない。電子錠を４方向全ての向きで取り付けることができるようにするために、その使用時の向きを製造業者に示さなければならず、その後、その向きに合わせて電子錠が作られる。あるいは、錠によっては、２方向だけに対応できるキーパッド部品が取り外され、別の向きに付け直される。これが時間、資金及びエネルギーの損失の原因となる。
【０００７】
更に、パスワードをキーパッドで入力する錠では、近くの人が、入力されたパスワードを見る可能性が高く、これによりセキュリティ上の脆弱性を向上させる。
【０００８】
先行技術で使用される電子錠は、セキュリティや利用可能性等の問題を解決するには不十分である。上述の改良は、現状の欠点を少ししか解消せず、先行技術には、全ての欠点を解消する電子施錠機構は存在しない。
【０００９】
その結果、４方向及び姿勢で装着することができ、且つ容易に取り付けることができる電子錠に対する需要があり、また現在の解決策が不十分であるため、関連技術分野での改良が必要とされている。
【先行技術文献】
【特許文献】
【００１０】
【特許文献１】韓国特許出願第２００３００１９５４１号
【特許文献２】欧州特許第１５９９６５１Ｂ１号
【特許文献３】トルコ国特許出願第２００８  ０１９２７号（発明の名称：マイクロ  エンジン  ロック  ボルト  システム（micro engine lock bolt system））
【発明の概要】
【課題を解決するための手段】
【００１１】
本発明は、前記要求を満たし、全ての欠点を解消し、またいくつかの追加の利点を提供する、４方向に取り付け可能な電子錠に関する。
【００１２】
本発明の目的は、４方向又は姿勢で容易に取り付けられる電子錠を提供することである。
【００１３】
本発明の目的は、同一の錠を、様々な付属品を使用することによって、ある企業のロッカー、扉及び引出しのいずれにも取り付けられるようにすることである。
【００１４】
本発明の別の目的は、キーイングシステムによって、より安全なパスワード入力機能をユーザーに提供することである。
【００１５】
本発明の別の目的は、キーイングシステムによって、より小さいサイズで製造され得る電子錠を提供することである。
【００１６】
本発明の別の目的は、部品数がより少なく、より多くの方向に取り付けることができ、コストが低く、より安全で、よりバッテリ消費量が少ない電子錠を提供することである。
【００１７】
本発明の別の目的は、一体構造を有するので容易に取り付けることができる電子錠を提供することである。取り付け作業を容易に行えるので、時間と労力を節減できる。
【００１８】
前記目的を達成するために、本発明は、少なくとも１個の表示画面と少なくとも１個のマイクロエンジン（micro engine）施錠システムとを有し、電子扉、引出し、ロッカー、ケーシング、キャビネット、安全保管箱、区画等の用途で使用される電子錠装置における施錠動作を確実にする。そして、本発明は、錠が組み込まれる設備に対して異なる４方向で錠が接続されたときに、ユーザによる表示画面（４）の読み取りを可能にする錠内に配置された少なくとも１個の方向選択キー及び／又はセンサと、数字記号も英数字記号も有していない閲覧・確認キー群とを有し、ユーザによるパスワードの入力を可能にする。
【００１９】
以下の詳細な説明からよりよく理解される上記利点を達成するために、本発明は、前記特徴によって多くの利点をもたらす。
【００２０】
本発明の構造的及び特性的特徴並びに全ての利点は、以下に示された図面によって行われる詳細な説明により、また図面を参照することによりよく理解され、従って、本発明の評価は、前記図面及び詳細な説明を考慮して行われるべきである。
【図面の簡単な説明】
【００２１】
本発明の実施形態及び追加の構成要素によるその利点をよりよく理解するために、本発明は、以下に示された図面と共に評価されるべきである。
【図１】本発明の主題である４方向電子錠の分解図である。
【図２】本発明の主題である４方向電子錠の適用例の正面図である。
【図３ａ】垂直の向きで使用することを意図した本発明の主題である４方向電子錠の適用例の正面図である。
【図３ｂ】垂直逆向きで使用することを意図した本発明の主題である４方向電子錠の適用例の正面図である。
【図３ｃ】水平の向きで使用することを意図した本発明の主題である４方向電子錠の適用例の正面図である。
【図３ｄ】水平逆向きで使用することを意図した本発明の主題である４方向電子錠の適用例の正面図である。
【発明を実施するための形態】
【００２２】
この詳細な説明では、本発明の主題である４方向電子錠の好ましい実施形態は、主題の理解を深めることのみを目的として開示されるものであり、本発明を限定するものではない。本発明の電子錠を組み込む扉、引出し、ロッカー、ケーシング等の実施形態は、本明細書の以下の説明では設備と称する。
【００２３】
図１に、本発明の主題である４方向電子錠の分解図が示されている。電子錠は、配置される設備上に異なる４方向で接続され得る。図３ａ、図３ｂ、図３ｃ及び図３ｄに、異なる方向の適用例が示される。電子錠は、垂直の向きで接続できるが、垂直逆向きでも接続できる。電子錠は、左右平面に水平の向きで接続できるが、水平逆向きでも接続できる。錠内に位置決めされた少なくとも１個の方向選択キー（８）によって、異なる４方向で前記表示画面（４）をまっすぐな状態で見ることができるので、電子錠を４方向に取り付けることができる。電子錠を垂直方向に取り付ける場合、パスワード入力は、前記表示画面（４）の下側部分に見える少なくとも１群の閲覧・確認キー群（５）によって確実になされる。通常のキーパッドと異なり、安全性の高いパスワード入力は、閲覧・確認キー群（５）のみによって行われる。キーは、数字記号や英数字記号を有していない。キーは、右キー、左キー、上キー、及び下キーと、中央の確認キーだけを有する。ユーザがパスワードを入力したいとき、ユーザは、上下キーを使用して所望の数字を決定し、所望の数字が表示されたら確認キーを押す。電子錠は、数字の入力を、音と、表示画面（４）上に見られる幾つかの記号（好ましくは星印）によって確認する。このようにして、ユーザは、自分が予め決定したパスワードに従って４桁以上の数字を入力することができる。ユーザが閲覧・確認キー群（５）で入力したパスワードが予め読み込まれたパスワードと同じ場合、錠は、ボルトを引き、ユーザがハンドル（１１）を廻して開錠できるようにする。ユーザがパスワードを間違って入力した場合は、音声警告が出され、画面（４）に「Ｅ」（エラー）記号が点灯する。
【００２４】
本発明の主題である電子錠には異なる２方法でパスワードを入力することができる。
【００２５】
第１の方法では、４個の閲覧キーと１個の確認キー（５）を使用し、画面（４）上で数字又は文字を選択することによってパスワード及び錠管理情報を入力することができ、画面（４）は、４方向の取り付け方向の何れにおいても正しい向きで読むことができる。第２の方法では、錠の前面の下側部分に形成されたアンテナを介したＲＦＩＤ（無線周波数識別）カードによって、パスワード情報を錠に導入することができる。
【００２６】
本発明の好ましい用途では、前記表示画面（４）は、様々な使用上の利点（コスト）を考慮してＬＥＤ（エルイーディー）、ＬＣＤ（エルシーディ）又はＯＬＥＤ（オーエルイーディ）とすることができる。
【００２７】
本発明の同様に好適な実施形態では、錠の位置決めは、選択キー（８）又はセンサによって決定される。前記表示画面（４）は、選択キー（８）、方向センサ、又はプログラムメニューから決定された錠の向きに応じて、正しい向きで読めるように電子的に再構成される。
【００２８】
本出願の保護範囲は、特許請求の範囲によって特定されるものであり、例示としての上記の記載に限定されない。当業者であれば、部品の形状を変更し類似の構造を使用することによって、本発明によって開示された技術革新を類似の目的の他の領域に適用できることは明らかである。従って、そのような実施形態は、革新性がなく、特に既知の最新技術を越えるものでないことも明らかである。
【符号の説明】
【００２９】
１．本体
２．ＰＣＢ電子回路
３．表示装置下側部品
４．表示画面
５．閲覧・確認キー群
６．ミニＵＳＢコネクタ
７．ミニＵＳＢカバー
８．４方向選択キー
９．ハンドル軸受
１０．黄銅接点
１１．ハンドル
１２．単４電池
１３．光反射センサ
１４．ハンドル支持プラスチック
１５．回転ボルト接続部品
１６．マイクロエンジン施錠システム
１７．バッテリハウジング付きリヤカバー
１８．ボール部品（３ｍｍ）
１９．回転ロックボルト
２０．ハンドル接点ばね
２１．黄銅取り付けナット
２２．左右選択金属板部品
ＰＣＢ（プリント回路基板）
ＵＳＢ（汎用シリアルバス）
ＬＥＤ（発光ダイオード）
ＯＬＥＤ（有機発光ダイオード）
ＬＣＤ（液晶ディスプレイ）
【図１】
2013521421.tif 000003
【図２】
2013521421.tif 000004
【図３ａ】
2013521421.tif 000005
【図３ｂ】
2013521421.tif 000006
【図３ｃ】
2013521421.tif 000007
【図３ｄ】
2013521421.tif 000008
【国際調査報告】
2013521421.tif 000009
2013521421.tif 000010
2013521421.tif 000011